(57)【要約】  本願において説明される通信システムは、入力フィード、ソース、及びチューナデバイスを含む。入力フィードは入力信号を受信する。ソースは、受信された入力信号に基づいて無線信号を発射する。チューナデバイスは、無線信号を発射するソースの近隣に配置される。チューナデバイスは、ソースから発射される無線信号を受信し、無線出力を生成する。一実施形態において、チューナデバイスは、チューナデバイスから送信される無線出力の放射パターンを制御するために、多数の個別に制御されるウィンドー領域を含む。【選択図】  図１
2021516005.tif 000002
【特許請求の範囲】
【請求項１】
装置であって、
入力信号を受信するための入力フィードと、
前記受信された入力信号に基づいて無線信号を発射するソースと、
前記ソースから発射される前記無線信号を受信するように動作し、無線出力を生成するチューナデバイスと、
を含み、
前記チューナデバイスが、前記チューナデバイスから送信される前記無線出力の放射パターンを制御するために、多数の個別に制御されるウィンドー領域を含む、
装置。
【請求項２】
請求項１に記載の装置であって、前記多数の個別に制御されるウィンドー領域の各々が、実質的に平面であり、前記無線信号の対応する部分を生成するために、前記無線信号のそれぞれの受信される部分の属性を修正する、装置。
【請求項３】
請求項１に記載の装置であって、さらに、
前記多数の個別に制御されるウィンドー領域の設定を制御するためのコントローラ
を含み、前記コントローラが、前記無線出力を所望の方向に向けるために、前記設定を変更するように動作する、
装置。
【請求項４】
請求項１に記載の装置であって、前記コントローラによって生成される設定が、前記多数の個別に制御されるウィンドー領域に関連する共振周波数を制御する、装置。
【請求項５】
請求項１に記載の装置であって、前記多数の個別に制御されるウィンドー領域の各それぞれのウィンドー領域が、前記それぞれのウィンドーによって受信される前記発射される無線信号の対応する入射部分の放射を制御する、
装置。
【請求項６】
請求項１に記載の装置であって、多数の個別に制御される表面領域の各々が多数のウィンドーを含み、前記多数のウィンドーの各々が、前記ソースから受信される前記発射される無線信号の入射部分の放射を制御する、装置。
【請求項７】
請求項１に記載の装置であって、前記多数の個別に制御されるウィンドー領域が、第１のウィンドー領域及び第２のウィンドー領域を含む、装置。
【請求項８】
請求項７に記載の装置であって、
前記第１のウィンドー領域が、前記ソースから発射される前記無線信号の第１の部分を受信し、
前記第２のウィンドー領域が、前記ソースから発射される前記無線信号の第２の部分を受信する、
装置。
【請求項９】
請求項８に記載の装置であって、
前記チューナデバイスの前記第１のウィンドー領域が、前記第１のウィンドー領域から送信される前記無線出力の対応する第１の部分を生成するために、前記無線信号の前記受信された第１の部分の位相及び振幅を制御し、
前記チューナデバイスの前記第２のウィンドー領域が、前記第２のウィンドー領域から送信される前記無線出力の対応する第２の部分を生成するために、前記無線信号の前記受信された第２の部分の位相及び振幅を制御する、
装置。
【請求項１０】
請求項９に記載の装置であって、さらに、
前記多数の個別に制御されるウィンドー領域の設定を制御するためのコントローラ
を含み、前記コントローラが、前記無線出力を所望の方向に向けるために、前記設定を変更するように動作する、
装置。
【請求項１１】
請求項１に記載の装置であって、さらに、
前記ウィンドー領域の各対応するウィンドー領域のそれぞれの静電容量を個別に制御するように動作するコントローラ、
を含み、
前記それぞれの静電容量の制御が、前記対応するウィンドー領域において受信される前記無線信号の一部の位相を修正する、
装置。
【請求項１２】
方法であって、
ソースにおいて入力フィードからの入力信号を受信することと、
前記ソースから、前記受信された入力信号に基づいて無線信号を発射することと、
チューナデバイスにおいて、ｉ）前記ソースから発射される前記無線信号を受信すること、及び、ｉｉ）前記チューナデバイスから送信される無線出力の放射パターンを制御するために、前記チューナデバイスのウィンドー領域を個別に制御することと、
を含む、
方法。
【請求項１３】
請求項１２に記載の方法であって、さらに、
前記ウィンドー領域の各々に関連する静電容量の設定を個別に制御すること
を含み、
前記設定の制御が、前記チューナデバイスから送信される前記無線出力の送信される前記放射パターンを修正する、
方法。
【請求項１４】
請求項１２に記載の方法であって、さらに、
前記多数の個別に制御されるウィンドー領域の設定を変更すること
を含み、
前記設定の変更が、前記チューナデバイスの前記無線出力を異なる所望の方向に向ける、
方法。
【請求項１５】
請求項１２に記載の方法であって、前記チューナデバイスのウィンドー領域を個別に制御することが、
前記多数の個別に制御されるウィンドー領域の各々に関連する共振周波数設定を制御すること
を含む、方法。
【請求項１６】
請求項１２に記載の方法であって、前記多数の個別に制御されるウィンドー領域の各それぞれのウィンドー領域が、前記それぞれのウィンドーによって受信される前記発射される無線信号の対応する入射部分の放射を制御する、方法。
【請求項１７】
請求項１２に記載の方法であって、多数の個別に制御される表面領域の各々が多数のウィンドーを含み、前記多数のウィンドーの各々が、前記ソースから受信される前記発射される無線信号の入射部分の放射を制御する、方法。
【請求項１８】
請求項１２に記載の方法であって、前記多数の個別に制御されるウィンドー領域が、第１のウィンドー領域及び第２のウィンドー領域を含み、前記第２のウィンドー領域が、前記第１のウィンドー領域に対して個別に制御される、方法。
【請求項１９】
請求項１８に記載の方法であって、さらに、
前記第１のウィンドー領域において、前記ソースから発射される前記無線信号の第１の部分を受信することと、
前記第２のウィンドー領域において、前記ソースから発射される前記無線信号の第２の部分を受信すること
を含む、方法。
【請求項２０】
請求項１９に記載の方法であって、さらに、
前記第１のウィンドー領域に対する入力制御を介して、前記無線信号の前記受信された第１の部分の位相及び振幅を制御することであって、前記第１のウィンドー領域の前記制御が、前記第１のウィンドー領域から送信される前記無線出力の対応する第１の部分を生成する、前記制御することと、
前記第２のウィンドー領域に対する入力制御を介して、前記第２のウィンドー領域から送信される前記無線出力の対応する第２の部分を姿勢するために、前記無線信号の前記受信された第２の部分の位相及び振幅を制御すること、
を含む、方法。
【請求項２１】
請求項２０に記載の方法であって、さらに、
前記第１のウィンドー領域及び前記第２のウィンドー領域を個別に制御することを介して、前記無線出力を、前記チューナデバイスから所望の方向に向けること、
を含む、方法。
【請求項２２】
そこに記憶される命令を有するコンピュータ可読のストレージハードウェアであって、前記命令が、コンピュータプロセッサコントローラハードウェアによって実施されるとき、前記コンピュータプロセッサコントローラハードウェアに、
ソースから発射される無線信号を受信するように動作するチューナデバイスのウィンドー領域を個別に制御させ、
前記ウィンドー領域の制御が、前記チューナデバイスから送信される無線出力の放射パターンを制御する、
コンピュータ可読のストレージハードウェア。
【請求項２３】
請求項１に記載の装置であって、前記チューナデバイスが、
ｉ）前記ソースから発射される前記無線信号からエネルギーの第１の部分を受信するように動作する、整合されたウィンドー領域の第１のスタックと、
ｉｉ）前記ソースから発射される前記無線信号からエネルギーの第２の部分を受信するように動作する、整合されたウィンドー領域の第２のスタックと、
を含む、装置。
【請求項２４】
請求項２３に記載の装置であって、前記第１のスタックにおける前記整合されたウィンドー領域の各々が、前記第１のスタックを通過するエネルギーの前記第１の部分に関連する位相を調節するように調整可能であり、
前記第２のスタックにおける前記整合されたウィンドー領域の各々が、前記第２のスタックを通過するエネルギーの前記第２の部分に関連する位相を調節するように調整可能である、
装置。
【請求項２５】
請求項２４に記載の装置であって、
前記第１のスタックが、材料の第１のパッシブ金属化層を含み、
前記第２のスタックが、材料の第２のパッシブ金属化層を含む、
装置。
【請求項２６】
請求項２４に記載の装置であって、
前記第１のスタックが、多数のパッシブ金属化材料層の第１のセットを含み、
前記第２のスタックが、多数のパッシブ金属化材料層の第２のセットを含む、
装置。
【請求項２７】
請求項２４に記載の装置であって、
前記第１のスタックの第１のパッシブ金属化材料層が、前記第１のスタックの第１の軸端部に配置され、
前記第１のスタックの第２のパッシブ金属化材料層が、前記第１のスタックの前記第１の軸端部と反対の、前記第１のスタックの第２の軸端部に配置され、
前記第２の第１のスタックの第１のパッシブ金属化材料層が、前記第２のスタックの第１の軸端部に配置され、
前記第２のスタックの第２のパッシブ金属化材料層が、前記第２のスタックの前記第１の軸端部と反対の、前記第２のスタックの第２の軸端部に配置される、
装置。
【請求項２８】
装置であって、
コントローラと、
前記コントローラによって制御されるチューナデバイスと、
を含み、
前記チューナデバイスが、受信された無線信号の異なるそれぞれの部分が通過する多数のウィンドー領域を含み、前記コントローラが、前記受信された無線信号から無線出力を生成するために、前記多数のウィンドー領域を調整するように動作し、前記調整されたウィンドー領域が、そこを通過する前記それぞれの無線信号の異なるそれぞれの部分を修正する、
装置。
【請求項２９】
請求項２８に記載の装置であって、前記多数の個別に制御されるウィンドー領域の各々が、実質的に平面であり、前記無線出力の対応する部分を生成するために、前記無線信号のそれぞれの受信される部分の属性を修正する、装置。
【請求項３０】
請求項２８に記載の装置であって、前記コントローラが、前記無線出力を所望の方向に向けるために変更するように、前記多数の個別に制御されるウィンドー領域の設定を可変的に調整するように動作する、装置。
【請求項３１】
請求項２８に記載の装置であって、前記コントローラが、前記無線信号を特定の方向から受信するために、前記多数の個別に制御されるウィンドー領域の設定を可変的に調整するように動作する、装置。
【請求項３２】
請求項２８に記載の装置であって、前記多数の個別に制御されるウィンドー領域の各それぞれのウィンドー領域が、前記それぞれのウィンドーによって受信される前記無線信号の対応する入射部分の放射を制御する、装置。
【請求項３３】
請求項２８に記載の装置であって、 
前記多数の個別に制御されるウィンドー領域が、第１のウィンドー領域及び第２のウィンドー領域を含み、
前記第１のウィンドー領域が、前記受信された無線信号の第１の部分を受信し、
前記第２のウィンドー領域が、前記受信された無線信号の第２の部分を受信する、
装置。
【請求項３４】
請求項３３に記載の装置であって、
前記チューナデバイスの前記第１のウィンドー領域が、前記無線信号の前記受信された第１の部分の位相及び／又は振幅を制御するように、及び、前記第１のウィンドー領域から送信される前記無線出力の対応する第１の部分を生成するように動作し、
前記チューナデバイスの前記第２のウィンドー領域が、前記無線信号の前記受信された第２の部分の位相及び／又は振幅を制御するように、及び、前記第２のウィンドー領域から送信される前記無線出力の対応する第２の部分を生成するように動作する、
装置。
【請求項３５】
請求項３４に記載の装置であって、前記コントローラが、前記ウィンドー領域の各々の調整の設定を変更するように動作して、前記無線出力を所望の方向に向ける、装置。
【請求項３６】
方法であって、
無線信号を受信することであって、前記受信された無線信号の異なるそれぞれの部分が、多数のウィンドー領域を通過する、前記受信することと、
前記受信された無線信号から出力信号を生成するために、前記多数のウィンドー領域の各々を個別に調整すること、
を含み、
前記調整されたウィンドー領域が、そこを通過する前記それぞれの無線信号の前記異なるそれぞれの部分を修正する、
方法。
【請求項３７】
請求項３６に記載の方法であって、個別に調整することが、 
前記無線出力の向きを所望の方向に変更するために、前記多数の個別に制御されるウィンドー領域の設定を可変的に調整すること、
を含む、方法。
【請求項３８】
請求項３６に記載の方法であって、個別に調整することが、
前記無線信号を特定の方向から受信するために、前記多数のウィンドー領域の設定を可変的に調整すること、
を含む、方法。
【請求項３９】
請求項３６に記載の方法であって、前記多数のウィンドー領域の各々を個別に調整することが、
前記受信された無線信号の第１の部分を受信する第１のウィンドー領域を調整することと、
前記無線信号の第２の部分を受信する第２のウィンドー領域を調整すること、
を含み、
前記第１のウィンドー領域が、前記第２のウィンドー領域とは異なる設定に調整される、
方法。
【請求項４０】
請求項３９に記載の方法であって、前記第１のウィンドー領域が、前記受信された無線信号の前記第１の部分の位相を制御し、及び、前記第１のウィンドー領域から送信される前記無線出力の対応する第１の部分を生成し、
前記第２のウィンドー領域が、前記受信された無線信号の前記第２の部分の位相を制御し、前記第２のウィンドー領域から送信される前記無線出力の対応する第２の部分を生成する、
方法。
【発明の詳細な説明】
【技術分野】
【０００１】
本発明は、海軍研究所によって認可された認可番号Ｎ０００１４−１７−１−２００８の下、政府のサポートをもって成されたものである。アメリカ合衆国政府が、本発明に一定の権利を有し得る。
【０００２】
従来のビームステアリングアンテナシステム（フェーズドアレイアンテナ又はフェーズドアレイとしても知られている）は、典型的に、個別に制御されたアンテナアレイに関連したビーム形成ネットワークを用いて構成される。動作の間、アレイにおける各アンテナが、それぞれの電磁信号を生成する。
【発明の概要】
【０００３】
従来のビームステアリングアンテナシステムには欠陥がある。例えば、従来のビーム形成ネットワークは、非常に複雑な無線周波数（ＲＦ）回路、アナログ回路、デジタル回路等を必要とする。その結果、そのような回路及びシステムは、典型的にサイズが大きく、高電力を消費し、コストがかかる。
【０００４】
本願における実施形態は、ビームステアリングアンテナシステムのための新規性のあるアーキテクチャを含む。具体的には、本願において説明されるシステムは、（集積されたフィーディング／集積されたランチャを備える調整可能なメタサーフェスに基づく）放射開口を含み、この放射開口は、（トランスミッタ及びレシーバのための）ビーム形成ネットワーク及び放射アンテナアレイの両方又はそのどちらかとして機能するように採用される。その結果、本願における実施形態は、従来の／既存のビーム形成／ビームステアリング技法に対して、システム複雑性の著しい低減及びコスト削減を達成し、信号を送信および受信するための、新規性のあるロープロファイル及び低コストのビームステアリングアンテナシステムを提供する。
【０００５】
提案される技法が、通信（例えば５Ｇ通信システム）、センシング、イメージング、ＲＡＤＡＲ（無線探知及び測距）等のためのフェーズドアレイシステムなど、任意の適切な１つ又は複数の応用例に適用され得、全ての関連の技術セクタに影響を及ぼすことに留意されたい。
【０００６】
より具体的には、従来のアンテナデバイスと対比して、本願における実施形態は、入力信号を受信するための入力フィードと、外部入力信号に基づいて無線信号をそこから発射するためのソースと、ソースの近隣に配置されるチューナとを含む、装置／システムを含む。チューナは、無線出力を生成するために、ソースから発射される無線信号を受信するように動作する。一実施形態において、チューナデバイスは、チューナデバイスから送信される対応する無線出力の放射パターンを制御するために、多数の個別に制御されるウィンドー領域を含む。
【０００７】
一実施形態において、多数の個別に制御されるウィンドー領域（すなわち、調整可能なメタサーフェスに基づく、調整可能な放射開口）は、少なくとも、第１のウィンドー領域（例えば、第１のメタサーフェスユニットセル）、第２のウィンドー領域（例えば、第２のメタサーフェスユニットセル）、第３のウィンドー領域（例えば、第３のメタサーフェスユニットセル）等を含む。そのような実施形態において、第１のウィンドー領域は、ソースから発射される無線信号（例えば、１つ又は複数の電磁信号）の第１の部分を受信し、第２のウィンドー領域は、ソースから発射される無線信号の第２の部分を受信し、第３のウィンドー領域は、ソースから発射される無線信号の第３の部分を受信する。
【０００８】
本願で説明されるシステムは、さらに、多数の個別に制御されるウィンドー領域の設定を制御するためのコントローラを含む。
【０００９】
一実施形態において、コントローラは、無線出力の異なる部分の振幅及び／又は位相を制御するため、及び、無線出力を所望の方向に向ける（ステアリングする）ために、ウィンドー領域の設定を（例えば、静電容量の調整を介して）制御または変更する。この目的のため、第１のウィンドー領域の静電容量の調整（又は任意の他の適切なタイプの調整）を介して、チューナデバイスの第１のウィンドー領域は、第１のウィンドー領域から送信される無線出力の対応する第１の部分を生成するために、（ソースから受信される）無線信号の受信された第１の部分の位相及び／又は振幅を制御し、第２のウィンドー領域の静電容量の調整を介して、チューナデバイスの第２のウィンドー領域は、第２のウィンドー領域から送信される無線出力の対応する第２の部分を生成するために、（ソースから受信される）無線信号の受信された第２の部分の位相及び振幅を制御する。
【００１０】
さらなる実施形態によれば、多数の個別に制御されるウィンドー領域の各々は、実質的に平面（或いは代替的に、凹状、凸状等などの別の適切な形態）であり、出力信号の対応する部分を生成するために、ソース（例えば、１つ又は複数の電磁信号を生成するランチャ）からの無線信号のそれぞれの受信される部分の属性を修正する。
【００１１】
さらなる例示の実施形態によれば、本願において説明されるシステムは、コントローラを含む。コントローラは、多数の個別に制御されるウィンドー領域の設定を制御する。コントローラは、無線出力を所望の方向に向けるために、設定を変更するように動作する。代替的に、１つ又は複数のウィンドー領域の設定は、固定されてもよい。
【００１２】
一実施形態において、コントローラによって生成される設定は、多数の個別に制御されるウィンドー領域に関連する対応する共振周波数を制御する。
【００１３】
さらなる実施形態によれば、多数の個別に制御されるウィンドー領域の各それぞれのウィンドー領域は、それぞれのウィンドーによって受信される発射される無線信号の対応する入射部分の放射を制御する。
【００１４】
さらなる実施形態において、多数の個別に制御される表面領域の各々が多数のウィンドーを含み、（制御信号に基づく）多数のウィンドーの各々は、ソースから受信される発射される無線信号の入射部分の放射を制御する。
【００１５】
さらに別の実施形態において、前述したように、多数の個別に制御されるウィンドー領域は、第１のウィンドー領域、第２のウィンドー領域、第３のウィンドー領域、第４のウィンドー領域等など、任意の数のウィンドー領域を含み得る。
【００１６】
さらなる実施形態によれば、チューナデバイスの第１のウィンドー領域は、ソースから発射される無線信号の第１の部分を受信し、チューナデバイスの第２のウィンドー領域は、ソースから発射される無線信号の第２の部分を受信する。
【００１７】
本願におけるさらなる実施形態は、コントローラを介して、無線信号の受信された第１の部分の位相及び／又は振幅を変化させて、第１のウィンドー領域から送信される無線出力の対応する第１の部分を生成するために、チューナデバイスの第１のウィンドー領域を制御すること、及び、無線信号の受信された第２の部分の位相及び／又は振幅を制御して、第２のウィンドー領域から送信される無線出力の対応する第２の部分を生成するために、チューナデバイスの第２のウィンドー領域を制御することを含む。
【００１８】
さらなる例示の実施形態によれば、コントローラは、多数の個別に制御されるウィンドー領域の設定を制御し、コントローラは、設定を変更するように動作し、その結果、無線出力を所望の方向に向ける。
【００１９】
さらなる実施形態において、チューナデバイスは、ｉ）（異なる層において）整合されたウィンドー領域の第１のスタック、及び、ｉｉ）（異なる層において）整合されたウィンドー領域の第２のスタックを含み、ウィンドー領域の第１のスタックは、ソースから発射される無線信号から、エネルギーの第１の部分を受信するように動作し、ウィンドー領域の第２のスタックは、ソースから発射される無線信号から、エネルギーの第２の部分を受信するように動作する。一実施形態において、第１のスタックにおけるウィンドー領域の１つ又は複数は、第１のスタックを通過するエネルギーの第１の部分に関連する位相及び／又は大きさを調節するように調整可能であり、第２のスタックにおける整合されたウィンドー領域の１つ又は複数は、第２のスタックを通過するエネルギーの第２の部分に関連する位相及び／又は大きさ調節するように調整可能である。
【００２０】
さらに別の実施形態において、スタックの各々は、場合によっては、パッシブ金属化パッチ又はパッドの１つ又は複数の層を含む。例えば、一実施形態において、第１のスタックは、それぞれの基板（例えば、誘電体材料、空気（air）等）上に配置される材料の領域の第１のパッシブ金属化層を含むように構成され得、第２のスタックは、基板（例えば、誘電体材料、空気等）上に配置される材料の領域の第２のパッシブ金属化層を含むように構成され得る。
【００２１】
代替的に、前述したように、第１のスタックは、本願において説明される１つ又は複数のアクティブ層に加えて、多数のパッシブ金属化材料層の第１のセットを含み、第２のスタックは、本願において説明される１つ又は複数のアクティブ層に加えて、多数のパッシブ金属化材料層の第２のセットを含む。さらなる例示の実施形態として、第１のスタックの第１のパッシブ金属化材料層（領域）が、基板上の第１のスタックの第１の軸端部に配置され、第１のスタックの第２のパッシブ金属化材料層が、基板上の、第１のスタックの第１の軸端部と反対の、第１のスタックの第２の軸端部に配置される。第１のスタックの第１のパッシブ金属化材料層が、適当な基板上の第２のスタックの第１の軸端部に配置され、第２のスタックの第２のパッシブ金属化材料層が、適当な基板上の、第２のスタックの第１の軸端部と反対の、第２のスタックの第２の軸端部に配置される。
【００２２】
本願におけるさらなる実施形態が、コントローラと、コントローラによって制御されるチューナデバイスとを含む装置を含むことに留意されたい。チューナデバイスは多数のウィンドー領域を含み、この多数のウィンドー領域を、受信された無線信号の異なるそれぞれの部分が通過する。コントローラは、（集積されたランチャ／集積されたフィーディングからの）受信された無線信号から無線出力信号を生成するために、多数のウィンドー領域を調整するように動作し、調整されたウィンドー領域は、そこを通過するそれぞれの受信された無線信号の異なるそれぞれの部分を修正する。
【００２３】
さらなる実施形態によれば、多数の個別に制御されるウィンドー領域の各々は、実質的に平面であり、出力信号の対応する部分を生成するために、無線信号のそれぞれの受信される部分の１つ又は複数の属性を修正する。
【００２４】
本願におけるさらなる実施形態は、無線出力のステアリングを所望の方向に変更するために、多数の個別に制御されるウィンドー領域の設定を可変的に調整するように動作する、コントローラを含む。
【００２５】
さらなる実施形態において、コントローラは、異なる方向から無線信号を受信するために、多数の個別に制御されるウィンドー領域の設定を可変的に調整するように動作する。
【００２６】
さらに別の実施形態において、多数の個別に制御されるウィンドー領域の各それぞれのウィンドー領域は、それぞれのウィンドーによって受信される受信された無線信号の対応する入射部分の放射を制御する。
【００２７】
さらなる実施形態によれば、（異なるスタックにおける）多数の制御されたウィンドー領域は、第１のウィンドー領域及び第２のウィンドー領域を含む。第１のウィンドー領域は、受信された無線信号の第１の部分を受信し、第２のウィンドー領域は、受信された無線信号の第２の部分を受信する。チューナデバイスの第１のウィンドー領域は、無線信号の受信された第１の部分の位相及び／又は振幅を制御するように、及び、第１のウィンドー領域から送信される無線出力の対応する第１の部分を生成するように動作し、チューナデバイスの第２のウィンドー領域は、無線信号の受信された第２の部分の位相及び／又は振幅を制御するように、及び、第２のウィンドー領域から送信される無線出力の対応する第２の部分を生成するように動作する。さらなる実施形態によれば、コントローラは、ウィンドー領域の各々の調整の設定を変更ように動作し、異なる時間フレームにおいて、無線出力（１つ又は複数の無線信号）を異なる所望の方向に向ける。
【００２８】
本願で説明されるリソースの任意のものには、本願において開示される方法動作の任意のものまたは全てを実施及び／又はサポートするために、１つ又は複数のコンピュータ化されたデバイス、コントローラ、無線通信デバイス、ゲートウェイリソース、モバイル通信デバイス、センサ、サーバ、基地局、無線通信機器、通信管理システム、コントローラ、ワークステーション、ユーザ機器、ハンドヘルド又はラップトップコンピュータなどが含まれ得ることにさらに留意されたい。言い換えると、１つ又は複数のコンピュータ化されたデバイス又はプロセッサが、本願において説明されるような異なる実施形態を実施するために、本願において説明されるように動作するようにプログラム及び／又は構成され得る。
【００２９】
本願における他の実施形態は、上記で概説され、下記で詳細に開示されるステップ及び動作を行うためのソフトウェアプログラムを含む。１つのそのような実施形態は、非一時的コンピュータ可読のストレージ媒体（すなわち任意のコンピュータ可読のハードウェアストレージ媒体）を含むコンピュータプログラム製品を含み、そのストレージ媒体上で、ソフトウェア命令が、後続の実行のために符号化されている。命令は、プロセッサを有するコンピュータ化されたデバイス（ハードウェア）において実行されるとき、本願において開示される動作をプログラムし、及び／又は、プロセッサ（ハードウェア）に、本願において開示される動作を行わせる。そのような構成は、光学媒体（例えば、ＣＤ−ＲＯＭ）、フロッピーディスク、ハードディスク、メモリスティック、メモリデバイス等などの非一時的コンピュータ可読のストレージ媒体上、又は、１つ又は複数のＲＯＭ、ＲＡＭ、ＰＲＯＭ等におけるファームウェアなどの他の媒体上、又は、特定用途向け集積回路（ＡＳＩＣ）上等で構成又は符号化される、ソフトウェア、コード、命令、及び／又は他のデータ（例えば、データ構造）として典型的に提供される。ソフトウェア或いはファームウェア又は他のそのような構成は、コンピュータ化されたデバイス上にインストールされて、コンピュータ化されたデバイスに、本願において説明される技法を行わせ得る。
【００３０】
従って、本願における実施形態は、本願で説明される動作をサポートする方法、システム、コンピュータプログラム製品等に向けられる。
【００３１】
一実施形態は、本願における実施形態に従って制御をサポートするために、そこに記憶される命令を有するコンピュータ可読のストレージ媒体及び／又はシステムを含む。命令は、コンピュータプロセッサハードウェアによって実行されるとき、コンピュータプロセッサハードウェア（例えば、１つ又は複数の、同じ場所に位置された又は別々のプロセッサデバイス又はハードウェア）に、ソースから発射される無線信号を受信するように動作するチューナデバイスのウィンドー領域を個別に制御させる。ウィンドー領域の制御は、チューナデバイスから送信される無線出力の放射パターンを制御することである。
【００３２】
上記のステップの順番は、理解しやすいように付されている。本願で説明される如何なる処理ステップも、任意の適切な順番で行われてよいことに留意されたい。
【００３３】
本開示の他の実施形態は、上記で概説され、下記で詳細に開示される方法の実施形態のステップ及び動作の任意のものを行うために、ソフトウェアプログラム及び／又はそれぞれのハードウェアを含む。
【００３４】
本願で説明されるような、コンピュータ可読のストレージ媒体上のシステム、方法、装置、命令等が、ソフトウェアプログラム、ファームウェアとして、ソフトウェア、ハードウェア及び／或いはファームウェアのハイブリッドとして、又は、例えばプロセッサ（ハードウェア又はソフトウェア）内、オペレーティングシステム内、或いはソフトウェアアプリケーション内のハードウェア単体として、厳密に具現化されてもよいことを理解すべきである。
【００３５】
本願で説明されるように、本願における技法は、無線ネットワーク環境において無線通信を伝達し、送信し、ステアリングし、分析し、受信するといった分野における使用に良好に適している。しかし、本願における実施形態が、そのような応用例における使用に限定されないこと、及び、本願において説明される技法が他の応用例にも良好に適していることに留意すべきである。
【００３６】
また、本願における異なる特徴、技法、構成等の各々が、本開示の異なる場所で説明されることがあるが、適切であれば、概念の各々が、互いに独立して又は互いと組み合わせて任意選択で実行され得ることが意図されることに留意されたい。従って、本願において説明される１つ又は複数の本発明は、多くの異なるやり方で具現化及び考察され得る。
【００３７】
また、本願における実施形態のこの予備的な説明（発明の概要）が、本開示又は特許請求の範囲の発明の個々の実施形態及び／又は漸増的な新規性のある態様を意図的に特定するものではないことに留意されたい。そうではなく、この簡単な説明は、一般的な実施形態と、従来の技法と比べた対応する新規性のポイントとを表すに過ぎない。本発明の付加的な詳細及び／又は可能な観点（置換）について、読者は、下記でさらに説明される本開示の詳細な説明（これは、実施形態の概要である）及び対応する図面に向けられ得る。
【図面の簡単な説明】
【００３８】
【図１】本願における実施形態に従った無線システムを図示する例示の図である。
【図２】本願における実施形態に従った無線システムの異なる属性を図示する例示の図である。
【図３】本願における実施形態に従った、受信された入力信号に基づく無線出力信号の生成を図示する例示の図である。
【図４】本願における実施形態に従った、無線信号を生成するように動作するソースを図示する例示の図である。
【図５】本願における実施形態に従った、ソース（すなわち、集積されたフィーディング／集積されたランチャ）からの出力される放射パターンを図示する例示の図である。
【図６】本願における実施形態に従った、チューナデバイスのそれぞれの多数の層における多数のウィンドー領域を含む調整可能な放射開口を図示する例示の図である。
【図７】本願における実施形態に従った、ウィンドー領域（すなわち、調整可能な放射開口）の表側及び多数のウィンドー領域のスタックの詳細を図示する例示の図である。
【図８】本願における実施形態に従った、メタサーフェス層上のウィンドー領域（すなわち、調整可能な放射開口）の裏側を図示する例示の図である。
【図９】本願における実施形態に従った、対応するウィンドー領域に関連する制御回路実装を図示する例示の図である。
【図１０】本願における実施形態に従った、２次元の電気的にステアリングされるビームを備える、測定される放射パターンを図示する例示の図である。
【図１１Ａ】本願における実施形態に従った、ウィンドー領域及び対応する多数のマッチング金属化層を含むスタックを図示する例示の側面図である。
【図１１Ｂ】本願における実施形態に従った、レイアウトされたウィンドー領域及び対応する多数のマッチング金属化パッシブ領域（パッドなど）を図示する例示の上面図である。
【図１２】本願における実施形態に従った、ウィンドー領域及び（パッド領域の）マッチング金属化層のスタックのアレイを図示する例示の図である。
【図１３】本願における実施形態に従った、１つ又は複数の動作を実行するように動作する例示のコンピュータアーキテクチャを図示する例示の図である。
【図１４】本願における実施形態に従った方法を図示する例示の図である。
【図１５】本願における実施形態に従った、第１の基板上のレイアウトされたアクティブウィンドー領域、及び、第２の基板上の対応する多数のマッチング金属化層パッド（領域）を図示する例示の上面図である。
【図１６】本願における実施形態に従った、（アクティブ）ウィンドー領域及び対応する多数のマッチング（パッシブ）金属化領域を含むスタックを図示する例示の側面図である。
【図１７】本願における実施形態に従った、ソース及びチューナデバイスから異なる通信デバイスにデータを通信するように動作する、ウィンドー領域とパッドのマッチング金属化層とのスタックのアレイを図示する例示の図である。
【図１８】本願における実施形態に従った、ソースに通信される多数の通信デバイスから無線信号を受信するように動作する、ウィンドー領域とパッドのマッチング金属化層とのスタックのアレイを図示する例示の図である。
【図１９】本願における実施形態に従った方法を図示する例示の図である。
【００３９】
本発明の前述及びその他の対象、特徴、及び利点が、添付の図面に図示されるように、本願における好ましい実施形態の以下のより詳細な説明から明らかとなろう。図面において、同様の参照数字は、異なる図を通して同じ部分を指す。図面は必ずしも一定の縮尺ではなく、むしろ、実施形態、原理、概念等を図示することに重きが置かれている。
【発明を実施するための形態】
【００４０】
本願において説明される通信システムは、入力フィード、ソース、及びチューナデバイスを含む。入力フィードは、入力信号を受信する。ソースは、受信された入力信号に基づいて無線信号を発射する。チューナデバイスは、無線信号を発射するソースの近隣に(サブ波長距離に)配置される。チューナデバイスは、ソースから発射される無線信号を受信し、無線出力を生成する。一実施形態において、チューナデバイスは、チューナデバイスから送信される無線出力の放射パターンを制御するために、多数の個別に制御されるウィンドー領域を含む。さらなる実施形態によれば、チューナデバイスは、ネットワーク環境において動作される１つ又は複数の通信デバイスから無線信号を受信するように動作する。
【００４１】
従って、本願における実施形態は、１つ又は複数のメタサーフェス層、及び／又は、電磁波ソース／集積されたランチャ／レシーバを含む。本願において説明されるメタサーフェスは、１つ又は複数の調整可能な放射開口（ウィンドー領域とも呼ばれる）と、場合によっては、１つ又は複数のパッシブ金属化領域とを含む。そのようなシステムは、既存のアンテナを取り換えるために、異なる無線システムにおいて広く用いられ得る。例えば、そのようなシステムは、既存のアンテナを取り換えるために、レーダーシステムにおいて容易に用いられ得る。そうすることで、従来のレーダーのスタティックな調整不可能なビームが、２次元に向きを変えられる（ステアラブルな）高効率ビームによって置き換えられ得、こうした高効率ビームは、レーダーシステムに、一層広い有効範囲及び一層高い解像度を提供し、また、フェーズドアレイのような高コスト回路／構成要素又は複雑なシステム統合を導入することなく、既存のレーダーシステムに新たな応用例（例えば、画像化、追跡等）を導入する。
【００４２】
次に、より具体的には、図１は、本願における実施形態に従った無線システムを図示する例示の図である。
【００４３】
この例示の実施形態において、無線システム１００はソース１１０を含む。ソース１１０（例えば、集積された（一体化された）ランチャ）は、リソース１０２から入力１０５を受信し、ソース１１０の表面から直交に送信される、高指向性の１つ又は複数の電磁（すなわちＥＭ）波などの無線信号１１２を生成する。システム１００はさらに、無線信号１１２に基づいて無線出力１２２を導出するために、チューナデバイス１２０を含む。
【００４４】
動作の間、本願においてさらに説明されるように、チューナデバイス１２０（メタサーフェス又は調整可能な放射開口とも呼ばれる）は、チューナデバイス１２０から発射される無線出力１２２（ＥＭ信号又はＥＭ波）を構成する構成要素の位相、振幅等などの１つ又は複数の属性を制御する。本願においてさらに説明されるように、コントローラ１４０は、ビーム形成、ビーム走査、ビーム成形等を提供するように無線出力１２２の属性を制御するために、制御信号１４５を介して、チューナデバイス１２０を制御する。無線信号１１２及び／又は無線出力１２２が、任意の適切なデータ又はデータペイロードを含むために、符号化、変調等をされ得ることに留意されたい。
【００４５】
本願においてさらに説明されるように、チューナデバイス１２０（例えば、１つ又は複数のメタサーフェス層）が、無線信号（例えば、電磁波）を受信するためのデバイス、装置等として機能するように構成されてもよいことに留意されたい。本願において説明される原理を介して、コントローラ１４０は、更なる分析（復号化、復調等など）のための、任意の異なる選択された方向からの１つ又は複数の無線信号を受信するために、チューナデバイス１２０を調整するように構成され得る。
【００４６】
図２は、本願における実施形態に従った無線システムの異なる属性を図示する例示の図である。
【００４７】
図２に示すように、ソース１１０（集積されたフィード／集積されたランチャ／レシーバ）は、それぞれのソース１０２（ＳＭＡコネクタ及び同軸ケーブル又はプリント回路板（ＰＣＢ）トレースによって接続される外部ＲＦ信号ソース）に接続され、チューナデバイス１２０（アクティブメタサーフェス部）は、ビーム形成機能を制御するために、コントローラ１４０（外部制御システム）によって制御される。
【００４８】
一実施形態において、システム１００は、最大５ＧＨｚで、５ＧＨｚ近辺で、又は５ＧＨｚで（２〜１０ＧＨｚ、又は任意の他の適切な周波数）で動作する。１つの非限定的な例示の実施形態において、チューナデバイス１２０と、１０２を含む集積されたランチャとにおける全ての層の合計の厚さは、３３ｍｍ（ミリメートル）又は層の組み合わせのための任意の他の適切な値である。この例示の実施形態では、合計８層あり、４層は集積されたランチャのためのものであり、４層はメタサーフェスのためのものである。層の数は、実施形態に応じて変更され得る。例えば、ソース１１０は、単一層又は多数の層を用いて構成され得、メタサーフェス層は、２つ、３つ、４つ、５つ、又は任意の適切な数の層を用いて構成され得る。
【００４９】
非限定的な例示の実施形態として、それぞれのアクティブ領域（下記でさら説明されるウィンドー領域）のサイズは、１０８ｍｍ×１０８ｍｍ（１．６４λ×１．６４λ）であり、１４ｄＢｉの利得（６２％開口効率）を有するが、これらの寸法及び設定は、実施形態に応じて変更され得る。
【００５０】
ソース１１０のリフレクタ２１０は、その上に配置される銅はくを備える、一枚の金属シート又はプリント回路板であり得る。
【００５１】
一実施形態において、設計における１つ又は複数の間隙は空気（air）で充填される。代替的に、システム１００のそれぞれの層の間の間隙は、誘電体としての材料、又は、電磁波を通過させるその他の適切な材料で充填され得る。一実施形態において、ソース１１０に関連する基板の各々（リフレクタ２１０、フィーディングネットワーク２２０、パッチ２３０、導波器２４０）は、それぞれの誘電体シートの全部又は一部上に銅はくを置くことによって製造される低損失ＲＦラミネートである。
【００５２】
一実施形態において、層２１０、２２０、２３０、及び２４０の各々は、異なる目的を果たす。例えば、一実施形態において、リフレクタ２１０は、特にビーム形成の幾つかの場合において、メタサーフェス２５０が生成するバックローブを低減するように動作する。
【００５３】
フィーディングネットワーク２２０は、入力ポートからの電力を分割し、その電力を上側層に結合するように動作する。
【００５４】
パッチ層２３０（パッチのフィールド又はアレイ）は、導波器２４０に対する放射を生成するように動作する。
【００５５】
導波器２４０は、ソース１１０の集積されたフィーディング／ランチャセクションとメタサーフェス層２５０との間のバッファとして用いられる。一実施形態において、導波器２４０は、メタサーフェス層２５０の利得を増加させ、ニアフィールドにおいて一層均一の放射を生成する。導波器２４０が、動作周波数（working frequency）を制限及び補正（correct）するためのフィルタとして用いられ得ることに留意されたい。
【００５６】
１つの非限定的な例示の実施形態において、ソース１１０（集積されたフィード／集積されたランチャ）の仕様は、次のとおりである。
アクティブ領域サイズ：１０８ｍｍ×１０８ｍｍ
利得：１５．８ｄＢｉ
開口効率：＞９５％
層：４
厚さ：１１ｍｍ
【００５７】
繰り返すが、これらの値の設定は、実施形態に応じて変更してよい。
【００５８】
本願における実施形態は、１００メガヘルツ（ＭＨｚ）より大きい、及び１００ギガヘルツ（ＧＨｚ）又はそれ以上など、任意の適切な周波数で動作するようにシステムを操作することを含む。
【００５９】
一実施形態において、図２においてそれぞれのソース１０２は、無線信号（１つ又は複数の電磁波）の生成を約５ＧＨｚであるように制御する。そのような応用例に関して、一実施形態において、１つ又は複数のメタサーフェス層２５０上に配置されるアクティブチューニングウィンドー領域の寸法は、約２４ｍｍ×２４ｍｍ（０．４λｘ０．４λ、ここでλは発射される（launched）無線信号１１２の波長を表す））であるが、本願において説明されるウィンドー領域は、実施形態に応じて任意の適切なサイズであり得る。
【００６０】
一般に、ウィンドー領域サイズのための０．５λより小さい任意の寸法Ｘ−Ｙ寸法が、本願における実施形態をサポートするように働く。しかし、低コスト応用例のための望ましい範囲は、０．２５λ〜０．５λであり得る。ウィンドー領域のサイズが小さすぎると、同じエリアをカバーするために、本願において説明される一層多くのウィンドー領域が必要とされ、それゆえ、製造／組み立てコストが増加する。
【００６１】
一実施形態において、導波器２４０（ランチャなど）とメタサーフェス層２５０−１（層４）との間の距離又は間隙２６２は、４ｍｍ（λ／１５など）であるが、間隙２６２のための典型的な範囲は、例えばλ／２０〜λ／２の間で、又は任意の他の適切な値に変更され得る。幾つかの例において、λ／２０〜λ／１０の間の間隙２６２のサイズに関し、コンパクトさと性能にはトレードオフがあり、λ／１０より大きい距離が、同様の性能を有し得る。
【００６２】
層２５０−１と層２５０−４との間の離隔など、距離２６３が、１５ｍｍ（又はλ／４）などの任意の適切な値であり得、ランチャ（２６１）の合計の厚さが１２ｍｍ（λ／５）であることにさらに留意されたい。一実施形態において、全体のデバイス（距離２６１、間隙２６２、及び距離２６３を含む）の合計の厚さは、約λ／２である。そのような例において、距離２６１、間隙２６２、及び距離２６３の合計の厚さは、サブ波長である（すなわち、合計の厚さは、対応する無線信号１１２又は無線出力１２２の波長より小さい）。しかし、前述したように、２６１、２６２、及び２６３の合計の厚さは、任意の適切な値であり得、実施形態に応じて変更され得る。
【００６３】
一実施形態において、それぞれのソース１０２は、無線信号（１つ又は複数の電磁波）の生成を、（例えば、約５ＧＨｚではなく）約２４ＧＨｚであるように制御する。
【００６４】
さらなる実施形態によれば、それぞれのウィンドー領域のウィンドーサイズは、Ｘ−Ｙ面において６ｍｍ×６ｍｍ（０．４８λｘ０．４８λ）などの設定であり得る。０．５λより小さいウィンドー領域が、或る応用例において適切であり得るが、それぞれの寸法が０．２５λ〜０．５λの範囲に収まる低コスト応用例を提供するために、更なる熟考が成され得る。ウィンドー領域サイズが小さすぎると、同じエリアをカバーするために、一層多くのウィンドーの必要性を生じさせ得、それゆえ、製造及び組み立てのコストを増加させる。前述したものと同様の方式において、ウィンドー領域の各々のサイズは、実施形態に応じて任意の適切な値であり得る。
【００６５】
さらなる実施形態によれば、前述したように、ランチャ（ソース１１０）とチューナデバイス１２０との間の距離２６２は、任意の適切な値であり得る。一実施形態において、間隙は０．８ｍｍ（λ／１５．６２５）であるが、λ／２０〜λ／２の範囲から選ばれてもよい。
【００６６】
１つの非限定的な例示の実施形態において、層２５０−１と２５０−４との間の合計の厚さ（距離２６３など）は、６ｍｍ（ミリメートル）（又はλ／２．５）として選ばれ、これは、基板及び余分の層の厚さが原因で一層厚い。一実施形態において、ソース１１０（電磁波ランチャなど）の合計の厚さは０．３ｍｍ（λ／４２）であり、そのため、合計の厚さは約λ／２である。前述したものと同様の方式において、合計の厚さは、実施形態に応じて任意の適切な値であり得る。
【００６７】
例えば、図１１Ａ及び図１１Ｂにおいて説明される、本願におけるさらなる実施形態において、各マッチング層パッチは、Ｘ−Ｙ面において２．５ｍｍ×２．５ｍｍ（０．２λ×０．２λ、又は他の適切な値など）のサイズにされ、アクティブ及びパッシブ層両方に対して、６ｍｍ×６ｍｍ（０．４８λ×０．４８λ、又は他の適切な値など）のウィンドー領域サイズを有する。前述したものと同様の方式において、合計の厚さは、実施形態に応じて任意の適切な値であり得る。
【００６８】
図３は、本願における実施形態に従った無線信号の生成を図示する例示の図である。
【００６９】
図示されるように、システム１００は、ソース１１０に関連するフィーディングネットワーク２２０を駆動するために、リソース１０２（ドライバなど）を含む。前述及び図示したように、ソース１１０は、望まれない電力（バックローブ）が、誤った方向に発射されるのを防ぐために、リフレクタ２１０を含む。
【００７０】
さらに図示されるように、フィーディングネットワーク２２０は、それぞれの基板上に配置される個々のパッチ２３０の層にＲＦエネルギーを出力する。やはり図示されるように、パッチ２３０の層からのＲＦエネルギー（１つ又は複数の電磁波など）の出力は、必ずしも均一ではない。
【００７１】
フィーディングネットワーク２２０及び対応するパッチ２３０の例が、「平面形成のアンテナデバイス及びアンテナアレイ」という表題の、２０１７年４月１７日に出願された、関連出願である米国仮特許出願番号６２／４８６、１３３（代理人参照番号ＵＭＬ１７−０２（２０１７−０３３−０１）ｐ）に示されており、その全体の教示が参照により本願に組み込まれることに留意されたい。
【００７２】
さらに図示されるように、パッチ２３０は、それぞれのＲＦエネルギーを導波器２４０に出力する。導波器２４０は、受信されたＲＦエネルギーを、全体的な無線信号１１２に変換するために、金属形状のフィールドを含み、全体的な無線信号１１２は、パッチ２３０からの直接のＲＦエネルギーより、ニアフィールドにおいて一層均一となる。
【００７３】
さらに図示されるように、チューナデバイス１２０は、受信された無線信号１１２から無線出力１２２を導出するために、多数の調整可能な層２５０を含む。
【００７４】
図４は、本願における実施形態に従った、無線信号を生成するように動作するソースを図示する例示の側面図である。
【００７５】
図示されるように、ソース１１０は、リフレクタ２１０、フィーディングネットワーク２２０、パッチ２３０、及び導波器２４０のスタックを含む。前述したように、ソース１１０のこれらの層にされた構成要素の組み合わせが、無線信号１１２を生成する。
【００７６】
一実施形態において、集積されたフィーディング／ランチャ（ソース１１０）の厚さ（距離）２６１は、サブ波長である（すなわち、無線出力１２２に関連する搬送周波数又は動作周波数の波長よりはるかに薄い）。
【００７７】
再び図２を参照して、チューナデバイス１２０の厚さ（距離２６３）が、サブ波長であり（すなわち、無線出力１２２の波長よりはるかに薄い）、集積されたフィーディング／ランチャとチューナデバイス２６３との間の離隔の距離２６２が、サブ波長である（無線出力１２２の波長よりはるかに薄い）ことに留意されたい。
【００７８】
一実施形態において、前述したように、システム１００の全体的な厚さ（厚さ２６１、厚さ２６２、及び厚さ２６３）は、サブ波長である（例えば、一実施形態において、ソース１１０及びチューナデバイス１２０の全体的な外形又は組み合わせの厚さは、送信される無線出力１２２の波長の３分の１より小さい）。
【００７９】
図５は、本願における実施形態に従った、出力される放射パターンを図示する例示の図である。
【００８０】
グラフ５００は、５ＧＨｚでの無線信号１１２に関連する例示の放射パターンを図示する。前述したように、この出力は実施形態に応じて変更される。
【００８１】
図６は、本願における実施形態に従った、基板の層にされたスタックにおいて多数の整合されたウィンドー領域を含むチューナリソースを図示する例示の図である。
【００８２】
前述したように、チューナデバイス１２０は、ソース１１０の近隣に、例えばソース１１０と平行に配置される（例えば、この距離は、波長の１０分の１より小さい、又は波長の１０分の１に等しい）。
【００８３】
さらに、一実施形態において、多数の調整可能なウィンドー領域のチューナデバイス１２０における１つ又は複数の間隙又は層が、空気（air）で、又は、誘電体材料或いは（電磁波を通す）他の適切な材料などの材料で充填されることに留意されたい。
【００８４】
一実施形態において、（例えば、低損失ＲＦラミネートから製造される）基板２５０の各々は、それぞれの誘電体シート（誘電体材料）の一部分（例えば、縁部領域、センタートレース等）上に銅はくを置くことによって製造される。誘電体（又は誘電体材料）は、電磁波を通す電気絶縁体である。
【００８５】
さらに図示されるように、図６におけるウィンドー領域の各々の（金属材料又は金属層がない）内側部分は、概して、電磁波の対応する入射部分を自由に通すことができる。本願において説明されるように、各ウィンドー領域のチューニングが、通過する電磁波の属性を、適切な出力される電磁波部分に制御する。
【００８６】
動作の間、チューナデバイス１２０は、無線出力１２２を生成するために、ソース１１０から発射される無線信号１１２を受信する。図示されるように、チューナデバイス１２０は、チューナデバイス１２０から送信される無線出力１２２の放射パターンを制御するために、多数の個別に制御されるウィンドー領域６１０（チューナデバイス１２０の各異なる層における、ウィンドー領域６１０−１、ウィンドー領域６１０−２等など）を含む。
【００８７】
一実施形態において、チューナデバイス１２０は、ウィンドー領域（例えば、Ｚ軸に沿って異なる層において整合される、Ｘ−Ｙ面におけるメタサーフェスベースの調整可能な放射開口など）のアレイを含むように構成される。
【００８８】
この例示の実施形態において、チューナデバイス１２０の各ウィンドー領域は、それぞれの出力を制御するために、４つのメタサーフェス層（層２５０−１、２５０−２、２５０−３、及び２５０−４など）を含む。各層は、受信された無線信号１１２（出力された電磁信号）に基づいて、無線出力１２２（入力電磁信号）の生成の制御を提供するように動作するウィンドー領域６１０の（例えば、Ｘ−Ｙ面における）多次元アレイを含む。
【００８９】
さらにこの例示の実施形態において、第１のウィンドー領域６１０−１は、ソース１１０から発射される無線信号１１２の対応する第１の部分を受信し、第２のウィンドー領域６１０−２は、ソース１１０から発射される無線信号１１２の第２の部分を受信する。
【００９０】
動作の間、コントローラ１４０は、層２５０の各々上の多数の個別に制御されるウィンドー領域（すなわち、メタサーフェスユニットセル）を制御するために、制御設定を生成する。
【００９１】
一実施形態において、コントローラ１４０は、無線出力１２２を所望の方向に向けるために、ウィンドー領域（すなわち、ウィンドー領域のユニットセル又はスタック）に印加される電圧の設定を制御又は変更する。そのような例において、チューナデバイス１２０の第１のウィンドー領域６１０−１は、第１のウィンドー領域６１０−１から送信される無線出力１２２の対応する第１の部分を生成するために、無線信号１１２の受信された第１の部分の位相及び振幅などの１つ又は複数の属性を制御し、チューナデバイス１２０の第２のウィンドー領域６１０−２は、第２のウィンドー領域６１０−２から送信される無線出力１２２の対応する第２の部分を生成するために、無線信号１１２の受信された第２の部分の位相及び振幅を制御する。対応するスタックにおける各後続のウィンドー領域は、無線信号１１２（電磁信号）の受信部分の修正に寄与する。
【００９２】
本願においてさらに説明されるように、異なるウィンドー領域（例えば、異なるメタサーフェスセル）の位相及び振幅を制御することによって、異なる方向における無線出力１２２の制御が可能になる。言い換えると、それぞれのウィンドー領域（その各々が制御可能なＲＦソースとして機能する）から出力されるエネルギーの個々の部分の位相を制御することによって、チューナデバイス１２０は、無線出力を、任意の適切な角度方向（例えば、ｚ軸に対して上／下及び／又は左／右）に方位付けることができる。一実施形態において、チューナデバイス１２０は、Ｚ軸に対して−７０〜＋７０℃の範囲において無線出力の角度ステアリングをサポートするが、異なる実施形態は、任意の適切な角度制御をサポートするように構成され得る。
【００９３】
ウィンドー領域６１０を制御する一例が、さらに図７に示される。
【００９４】
図７は、本願における実施形態に従った、ウィンドー領域の表側の詳細を図示する例示の図である。
【００９５】
この例示の実施形態において、ウィンドー領域６１０−１は、チューナデバイス１２０のそれぞれの層上に、多数の整合されたウィンドー領域７５０（ウィンドー領域７５０−１、ウィンドー領域７５０−２等など）を含む。各ウィンドー領域層（基板）は、低損失誘電体材料からつくられ、その低損失誘電体材料上に銅などの金属材料７９０が置かれて、図示されるようにそれぞれのウィンドー領域層の縁辺近辺に導電経路を生成する。バラクタダイオードと、ウィンドー領域の縁辺まで延在するトレース７１０となどの構成要素を含むそれぞれの回路経路を除いて、各ウィンドー領域の中央には金属層がない。一実施形態において、それぞれのウィンドー領域層の縁辺（金属化層の細片）は、ＤＣ接地に接続される。回路経路又はトレース７１０の中心は、バイアスとして、コントローラ１４０によって提供される制御電圧によって駆動される。
【００９６】
図９を参照すると、ＤＣ回路経路（ウィンドー領域におけるトレース７１０など）からコントローラ１４０へのＲＦエネルギーの漏れを防ぐために、本願における実施形態は、（ウィンドー領域の反対の面上のトレース７１０に結合される）貫通孔ビア９１０と、コントローラ１４０まで延在するトレース９２５との間に置かれる、それぞれのＲＦチョーク回路９３５（又は代替的に、インダクタ及び／又はレジスタなどの１つ又は複数の構成要素）を含む。対応するウィンドー領域６１０−１のためのトレース９２５に対する、コントローラ１４０によって生成される制御信号（印加電圧）を介して、コントローラ１４０は、ウィンドー領域６１０−１のチューニングを制御する。すなわち、コントローラ１４０は、トレース９２５を越え、チョーク９３５及び貫通孔ビア９１０を介し、ウィンドー領域の反対の面上のバラクタ（又は他の適切な構成要素）に結合されるトレース７１０まで伝達される制御信号９０５を生成する。前述したような方式において、制御信号９０５に関連する印加電圧は、無線信号１１２からのエネルギーの入力される部分の位相及び／又は振幅を修正するために、ウィンドー領域６１０−１を調整する。同様の方式において、異なる印加電圧の生成を介して、コントローラ１４０は、チューナデバイス１２０におけるウィンドー領域の各々を制御する。
【００９７】
図７を再び参照すると、さらに図示されるように、各ウィンドー領域層７５０（７５０−１、７５０−２、７５０−３等など）は、バラクタダイオード７２１及び７２２などのそれぞれの１つ又は複数のチューニング構成要素を含む。ウィンドー領域７５０−１における構成要素７２１及び７２２（ダイオード７２１及び７２２など）は並列接続され、コントローラは、駆動信号によってトレース７１０を駆動する。前述したように、他のウィンドー領域７５０−２、７５０−３、７５０−４等の各々は、ウィンドー領域７５０−１と同様の方式において製造及びパターニングされる。
【００９８】
このように、動作の間、コントローラ１４０は、それぞれの駆動信号を生成し、そうした駆動信号を、それぞれのウィンドー領域７５０−１の表面（面７７０）上に配置されるトレース７１０（回路経路の一部）に印加する。コントローラ１４０は、適切な電圧（ＤＣ電圧又はＡＣ電圧など）によりトレース７１０を駆動して、ダイオード構成要素７２１及び７２２並びに対応するウィンドー領域７５０−１に関連するそれぞれの静電容量を制御し、その結果、それぞれのウィンドー領域７５０−１に関連する共振周波数を制御する。コントローラ１４０は、多数のウィンドー領域の共振周波数を制御するために、同様の方式においてチューナデバイス１２０の各ウィンドー領域を駆動する。
【００９９】
一実施形態において、（所与のウィンドー領域のための）ウィンドー領域７５０の各々に関連する、（例えば、ＤＣ電圧の印加を介した）共振周波数の制御によって、コントローラ１４０が、ウィンドー領域を通過する無線出力１２２の対応する部分に関連するそれぞれの振幅及び位相を制御することができる。このように、各ウィンドー領域（例えば各メタサーフェスユニットセル）は個別に制御可能である。前述したように、チューナデバイス１２０における層間の整合されたウィンドー領域のスタックは、ウィンドー領域を通過する電磁エネルギーの全体的な制御を提供する。電磁信号が、スタックにおけるウィンドー領域を通過する際（as）、それぞれのウィンドー領域は、通過する電磁信号の属性を修正する。
【０１００】
ウィンドー領域の異なるスタックの個々の制御によって、当初の受信された無線信号１１２のビーム形成が可能となる。
【０１０１】
言い換えると、各それぞれのウィンドー領域（及び対応するウィンドー領域層）を通過する電磁信号の属性を制御することによって、コントローラ１４０は、無線出力１２２の異なる部分の振幅及び／又は位相を制御して、振幅を制御し、それぞれの無線出力１２２（電磁信号）を、ｚ−軸（例えば、ウィンドー領域７５０が整合される軸）に対して任意の角度方向に向けることができる。
【０１０２】
チューナデバイス１２０が、動作において双方向／相互的（reciprocal）であることに留意されたい。例えば、逆方向において、チューナデバイス１２０は、所望の方向から信号を受信するように調整され得、このような場合、ウィンドー領域のスタックは、それぞれのウィンドー領域における電磁エネルギーの受信される部分の属性を修正する。ソース１０２（又は他の適切なリソース）は、受信される信号の更なる処理を行うように（例えば、任意のデータを取り出したり、その他の処理を適用したりするように）構成され得る。
【０１０３】
図８は、本願における実施形態に従った、ウィンドー領域の裏側を図示する例示の図である。
【０１０４】
図示されるように、層２５０−４（ウィンドー領域の層）の面６６０上に配置されるトレース７２０によって、コントローラ１４０は、適切な電圧（ＤＣ制御信号など）を各それぞれのウィンドー領域（ウィンドー領域６１０−１、６１０−２、６１０−３等など）に搬送することができる。各それぞれの層において、異なる層の各ウィンドー領域における対応するバラクタダイオードを駆動する。
【０１０５】
面６６０（例示の層２５０−４の裏側）はさらに、チューナデバイス１２０に関連する各それぞれのウィンドー領域の縁辺金属材料へのＤＣ接地経路を形成するために、トレース７２６を含む。チューナデバイス１２０における（電磁信号の一部が通過する）ウィンドー領域の調整可能な層の各々は、同様の方式において製造および動作される。
【０１０６】
図１０は、本願における実施形態に従った、異なる可能な放射パターンを図示する例示の図である。
【０１０７】
この例示の実施形態において、グラフ１０１１及びグラフ１０１２は、Ｅ面におけるチューナデバイス１２０のビームステアリングを示す。グラフ１０２１及びグラフ１０２２は、Ｈ面におけるチューナデバイス１２０のビームステアリングを示す。このように、本願における実施形態は、２次元のビームステアリング、ビーム形成等をサポートする。
【０１０８】
前述したように、チューナデバイス１２０に関連するウィンドー領域のアレイによって、コントローラ１４０は、無線信号１１２の各受信される部分に関連する振幅及び位相を制御して、無線出力１２２を任意の所望の方向に向けることができる。
【０１０９】
非限定的な例示として、チューナデバイス１２０、Ｅ面及びＨ面の１つの例示の実施形態に関連する例示の性能は次のとおりである。
Ｅ面性能：
利得＝１２ｄＢｉ〜１４ｄＢｉ
平均サイドローブレベル＝−８ｄＢ
走査有効範囲：−４０〜４０度
平均前後比：−１３ｄＢ
Ｈ面性能：
利得＝１２．５ｄＢｉ〜１４ｄＢｉ
平均サイドローブレベル＝−８ｄＢ
走査有効範囲：−４０ｔｏ４０度
平均前後比：−１５ｄＢ
【０１１０】
これらの値は、実施形態に応じて変更され得ることに留意されたい。
【０１１１】
図１１Ａは、本願における実施形態に従った、ウィンドー領域及び対応する多数のマッチング金属化層（パッド、パッチ等など）を含むスタックを図示する例示の側面図である。
【０１１２】
この例示の実施形態において、チューナデバイス１２０における整合されたウィンドー領域７５０のスタック１１０１は、やはり、材料の層１１５０−１（パッド、パッチ等など）、材料の層１１５０−２（パッド、パッチ等など）などの材料の１つ又は複数のパッシブ金属化層を含む。
【０１１３】
動作の間、ソース１１０は、エネルギー１１２−１の部分を、整合されたウィンドー領域７５０の及び金属化層１１５０スタック１１０１に向かって出力する。前述したように、コントローラ１４０は、ウィンドー領域７５０（ウィンドー領域７５０−１、ウィンドー領域７５０−２、ウィンドー領域７５０−３等）をアクティブに制御する。
【０１１４】
この例示の実施形態において、スタック１１０１はさらに、材料の金属化層１１５０−１及び材料の金属化層１１５０−２を含む。ウィンドー領域７５０の制御及び材料の金属化層１１５０の存在に基づいて、スタック１１０１は、入力信号１１２−１（電磁エネルギー）のそれぞれの部分の属性（位相、利得等など）を制御して、出力信号１２２−１を生成する。
【０１１５】
１つ又は複数のパッシブ層１１５０（材料のパッド、パッチ等など）の存在は、スタックにおいて必要とされるアクティブウィンドー領域７５０の数を低減して、入力信号１１２−１の受信される部分の、同レベル又は良好なレベルの属性（位相、振幅等など）の制御を実現する。入力信号１１２−１の受信される部分とは、スタック１１０１を通過し、無線出力１２２−１の対応する部分として出力されるものである。従って、１つ又は複数のパッシブ層１１５０の存在が、チューナデバイス１２０に関連する制御及び製造の複雑さを低減する。
【０１１６】
この例示の実施形態が、入力信号１１２の一部（無線出力１２２−１を生成するための部分１１２−１など）のみの修正を図示することに留意されたい。前述したように、チューナデバイス１２０は、適切な全体的な出力信号１２２を提供するために個別に調整される任意の数のスタックを含み得る。
【０１１７】
一実施形態において、材料の１つ又は複数の金属化層１１５０（パッド、パッチ等など）の存在は、低周波数で動作する金属化層１１５０を備えない従来の実施形態と比較して、２４ＧＨｚ（又は他の適切な値）の周波数において、調整可能な層の数を４つから３つに減少させる。
【０１１８】
また、それぞれのパッシブ金属化領域間に挟まれたアクティブ層を含む例示のチューナデバイス１２０によって、２ＰＩの全位相変化（すなわち、３６０度位相有効範囲）が可能になる。また、任意選択のパッシブマッチング層がチューナデバイス１２０の全体的な性能及び安定性を高める。性能に関して、１つの非限定的な例示の実施形態では、本願において説明されるチューナデバイス１２０によって、‐６０度から＋６０度のビーム走査をすることが可能となる。前述したものと同様の方式において、チューナデバイス１２０のロープロファイル及びコンパクトさは、チューナデバイス１２０を、多くの異なるタイプの応用例に搭載するのに望ましいものにする。
【０１１９】
図１１Ｂは、本願における実施形態に従った、ウィンドー領域及び対応する多数のマッチング金属化層を図示する例示の上面図である。
【０１２０】
説明目的のため、スタック１１０１における構成要素のこの非稼働中の図は、アクティブ領域７５０−１、７５０−２等と、材料の層１１５０−１（パッド、パッチ等など）、材料の層１１５０−２（パッド、パッチ等など）などの材料のパッシブ動作金属化層との前方又は上面図を示す。材料の層１１５０のサイズ、厚さ、寸法が、実施形態及び所望の信号チューニングに応じて変更されることに留意されたい。
【０１２１】
図１２は、本願における実施形態に従った、ウィンドー領域及びマッチング金属化層のスタックのアレイを図示する例示の図である。
【０１２２】
前述したように、チューナデバイス１２０における構成要素の各スタック（例えば、１つ又は複数のウィンドー領域７５０、材料の１つ又は複数の金属化層１１５０を含む）は、受信された無線信号１１２に関連する通過するエネルギーの異なる部分を制御する。
【０１２３】
この例示の実施形態において、チューナデバイス１２０は、ｉ）ソース１１０から発射される無線信号１１２からエネルギーの第１の部分を受信するように動作する、整合されたウィンドー領域７５０−１、７５０−２、及び７５０−３の第１のスタック１１０１、ｉｉ）ソース１１０から発射される無線信号１１２からエネルギーの第２の部分を受信するように動作する、整合されたウィンドー領域７５１−１、７５１−２、及び７５１−３の第２のスタック１１０２、ｉｉｉ）ソース１１０から発射される無線信号１１２からエネルギーの第３の部分を受信するように動作する、整合されたウィンドー領域の第３のスタック１１０３等を含む。
【０１２４】
前述したように、第１のスタック１１０１における整合されたウィンドー領域７５０の各々は、第１のスタック１１０１を通過するエネルギーの第１の部分に関連する位相／振幅を調節するように調整可能であり、第２のスタック１１０２における整合されたウィンドー領域７５１の各々は、第２のスタック１１０２を通過するエネルギーの第２の部分に関連する位相／振幅を調節するように調整可能である。
【０１２５】
前述したように、スタック１１０１は、第１のスタック１１０１の第１の軸端部に配置される第１のパッシブ金属化材料層１１５０−１を含むように構成され得、第１のスタック１１０１の第２のパッシブ金属化材料層１１５０−２は、第１のスタック１１０１の第１の軸端部と反対の、第１のスタック１１０１の第２の軸端部に配置される。さらに図示されるように、スタック１１０２は、第２のスタック１１０２の第１の軸端部に配置される第２のパッシブ金属化材料層１１５１−１を含むように構成され得、第２のスタック１１０２の第２のパッシブ金属化材料層１１５１−２は、第２のスタック１１０１の第１の軸端部と反対の、第２のスタック１１０２の第２の軸端部に配置される。
【０１２６】
第１のパッシブ金属化領域１１５０−１、１１５１−１等が第１の基板（チューナデバイス１２０の層２５０−１など）上にあり、ウィンドー領域７５０−１、７５１−１等が第２の基板（チューナデバイス１２０の層２５０−２など）上にあり、ウィンドー領域７５０−２、７５１−２等が第３の基板（チューナデバイス１２０の層２５０−３など）上にあり、ウィンドー領域７５０−３、７５１−３等が第４の基板（チューナデバイス１２０の層２５０−４など）上にあり、第２のパッシブ金属化領域１１５０−２、１１５１−２等が第５の基板（チューナデバイス１２０の層２５０−５など）上にあることに再び留意されたい。
【０１２７】
前述したように、任意選択の１つ又は複数のパッシブ金属化領域１１５０の各々の寸法もまた、エネルギーの通過を制御するように設計され得る。
【０１２８】
図１３は、本願における実施形態に従った、前述したような動作の任意のものを実装するためのコンピュータシステムの例示のブロック図である。
【０１２９】
本願で説明されるようなリソースの任意のもの（コントローラ１４０等など）は、本願で説明されるような異なる動作を実施するために、コンピュータプロセッサハードウェア及び／又は対応する実行可能な（ソフトウェア）命令を含むように構成され得る。
【０１３０】
図示されるように、本例のコンピュータシステム１３５０は相互接続１３１１を含み、相互接続１３１１が、非一時的なタイプの媒体などのコンピュータ可読のストレージ媒体１３１２（これは、デジタル情報をストア及び読出しし得る、任意の適切なタイプのハードウェアストレージ媒体であり得る）、プロセッサ１３１３（コンピュータプロセッサハードウェア）、Ｉ／Ｏインターフェース１３１４、及び通信インターフェース１３１７を結合する。
【０１３１】
Ｉ／Ｏインターフェース１３１４は、リポジトリ１３８０及び入力リソース１３９２への接続性をサポートする。
【０１３２】
コンピュータ可読のストレージ媒体１３１２は、メモリ、光学ストレージ、ハードドライブ、フロッピーディスク等などの任意のハードウェアストレージデバイスであり得る。一実施形態において、コンピュータ可読のストレージ媒体１３１２は、命令及び／又はデータをストアする。
【０１３３】
図示されるように、コンピュータ可読のストレージ媒体１３１２は、本願で説明されるような動作の任意のものを実施するために、（例えば、命令を含む）管理アプリケーション１４０−１によって符号化され得る。
【０１３４】
一実施形態の動作の間、プロセッサ１３１３は、コンピュータ可読のストレージ媒体１３１２上にストアされる管理アプリケーション１４０−１における命令を始動、起動、実行、解釈、又はその他の様式で行うために、相互接続１３１１の使用を介してコンピュータ可読のストレージ媒体１３１２にアクセスする。制御アプリケーション１４０−１の実行が、本願で説明されるような動作及び／又はプロセスの任意のものを実施させるために、制御プロセス１４０−２を生成する。
【０１３５】
当業者であれば、コンピュータシステム１３５０が、管理アプリケーション１４０−１を実行するためにハードウェアリソースの割当て及び使用を制御するオペレーティングシステムなど、他のプロセス並びに／又はソフトウェア及びハードウェア構成要素を含んでもよいことを理解するであろう。
【０１３６】
異なる実施形態に応じて、コンピュータシステムが、任意の種々のタイプのデバイス内にあってもよいことに留意されたい。このような任意の種々のタイプのデバイスには、モバイルコンピュータ、無線通信デバイス、ゲートウェイリソース、通信管理リソース、パーソナルコンピュータシステム、無線デバイス、無線アクセスポイント、基地局、電話機、デスクトップコンピュータ、ラップトップ、ノートブック、ネットブックコンピュータ、メインフレームコンピュータシステム、ハンドヘルドコンピュータ、ワークステーション、ネットワークコンピュータ、アプリケーションサーバ、ストレージデバイス、カメラやカムコーダ、セットトップボックス、モバイルデバイス、ビデオゲーム機、ハンドヘルドビデオゲームデバイスなどの家庭用電子機器、スイッチや、モデム、ルータ、セットトップボックス、コンテンツ管理デバイス、ハンドヘルドリモートコントロールデバイスなどの周辺機器デバイス、任意のタイプのコンピューティング又は電子デイバス等が含まれるが、これらに限定されない。コンピュータシステム１３５０は、本願で説明されるような機能性を実装するために、任意のロケーションにあってよく、又は、任意のネットワーク環境における任意の適切なリソースに含まれてもよい。
【０１３７】
次に、図１４におけるフローチャートを介して、異なるリソースによってサポートされる機能性が説明される。以下のフローチャートにおけるステップが任意の適切な順で実行され得ることに留意されたい。
【０１３８】
図１４は、本願における実施形態に従った例示の方法を図示するフローチャート１４００である。上述の概念に対していくつかの重複があることに留意されたい。
【０１３９】
処理動作１４１０において、ソース１１０がリソース１０２から入力信号１０５を受信する。
【０１４０】
処理動作１４２０において、ソース１１０が、無線信号１１２をチューナデバイス１２０に発射する。
【０１４１】
処理動作１４３０において、チューナデバイス１２０が、ｉ）ソース１１０から発射される無線信号１１２を受信し、ｉｉ）コントローラ１４０が、チューナデバイス１２０のウィンドー領域を個別に制御して、チューナデバイスから送信される無線出力の放射パターンを制御する。
【０１４２】
図１５は、本願における実施形態に従った、基板上の、レイアウトされたウィンドー領域及び対応する多数のマッチング金属化層パッド又はパッチを図示する例示の上面図である。
【０１４３】
この例示の実施形態において、例示の層２５０−１（アクティブウィンドー領域）は、ウィンドー領域７５０−１を含む。領域１５３２（接地基準に結合される、濃色の網掛けの領域）は、基板２５０−１上に配置される金属層を表す。領域１５３３（電圧信号などの制御信号によって駆動される金属パッド）は、電磁透過（electromagnetic transmissive）ウィンドー領域７５０−１の中央にある。構成要素１５２１（第１のバラクタ又は他の適切なリソースなど）は、領域１５３３から領域１５３２への結合を提供する。同様に、構成要素１５２２（第２のバラクタ又は他の適切なリソースなど）は、領域１５３３から領域１５３２までの結合を提供する。このように、構成要素１５２１及び１５２２は、接地に並列接続される。コントローラ１４０は、対応するウィンドー領域７５０−１に対するそれぞれの電圧信号によって領域１５３３を駆動する。
【０１４４】
層２５０−１上の各ウィンドー領域は、同様の方式において構成及び制御される。
【０１４５】
例示の層１１５０−１（パッド又は金属領域のパッシブ層）は、金属化領域１５１１（濃色の領域）と電磁透明領域(electromagnetic transparent region）１５１２とを含む。
【０１４６】
図１６は、本願における実施形態に従った、ウィンドー領域及び対応する多数のマッチング金属化パッドを含むスタックを図示する例示の側面図である。
【０１４７】
この例示の実施形態において、スタック１６０１は、領域１５１１（基板層１１５０−１上の金属パッドなど）、ウィンドー領域７５０−１、ウィンドー領域７５０−２、ウィンドー領域７５０−３、及び領域１５１９（基板層１１５０−２上の金属パッドなど）を含む。
【０１４８】
前述したように、コントローラ１４０は、それぞれのウィンドー７５０の中心領域（領域１５３３等など）の各々に対するそれぞれの電圧の印加を介して、アクティブ層７５０の設定を制御する。
【０１４９】
スタック１６０１は、無線信号１１２−１の一部を受信する。スタック１６０１における異なる構成要素の組み合わせは、無線出力１２２−１を生成するために、受信された無線信号１１２−１に関連する１つ又は複数の属性を修正するように動作する。
【０１５０】
各スタックは、本願において説明されるものと同様の方式において無線出力を生成するために、それぞれの受信された無線信号を修正するように動作する。
【０１５１】
図１７は、本願における実施形態に従った、ウィンドー領域とパッドのマッチング金属化層とのスタックのアレイを図示する例示の図である。
【０１５２】
この例示の実施形態において、ソース１０２は、前述したような任意の適切な方式においてチューナデバイス１２０に入力される無線信号の生成を開始する。チューナデバイス１２０は無線信号１１２を受信する。
【０１５３】
時間フレームＴ１において、コントローラ１４０は、スタック１６０１、１６０２、１６０３等の各々を個別に調整して、時間フレームＴ１において、無線出力１２２−Ａを（例えば、無線出力１２２を、第１のデータを含む角度Ａで）通信デバイス１６５１に伝える。時間フレームＴ２において、コントローラ１４０は、スタック１６０１、１６０２、１６０３等の各々を個別に調整して、時間フレームＴ２において、無線出力１２２−Ｂを（例えば、第２のデータを含む角度Ｂで）通信デバイス１６５２に伝える。
【０１５４】
さらに、この例示の実施形態において、チューナデバイス１２０のスタック１６０１は、コントローラ１４０によって駆動されるスタック１６０１における対応するアクティブウィンドー領域のそれぞれの設定に応じて、無線信号１１２−１（無線信号１１２の部分）に関連する１つ又は複数の属性を受信及び修正する。通過する無線（電磁）信号の入力される無線信号１１２−１（すなわち、無線出力部分１１２−１）の修正（位相又は他の属性修正など）を介して、スタック１６０１は、対応する出力信号１２２−１を生成する。このように、スタック１６０１及び対応する第１のウィンドー領域は、無線出力１２２−１の対応する第１の部分を生成するために、受信された無線信号１１２−１の第１の部分の位相を制御する。
【０１５５】
チューナデバイス１２０のスタック１６０２は、コントローラ１４０によって駆動されるスタック１６０２における対応するアクティブウィンドー領域のそれぞれの設定に応じて、受信された無線信号１１２−２に関連する１つ又は複数の属性を受信及び修正する。通過する無線信号の入力される無線信号１１２−２（無線信号１１２−２の部分）の修正（位相修正など）を介して、スタック１６０２は、出力信号１２２−２（無線出力１２２の部分）を生成する。このように、スタック１６０２及び対応する第２のウィンドー領域は、無線出力１２２−２の対応する第２の部分を生成するために、受信された無線信号１１２−２の第２の部分の位相を制御する。
【０１５６】
チューナデバイス１２０のスタック１６０３は、コントローラ１４０によって駆動されるスタック１６０３における対応するウィンドー領域のそれぞれの設定に応じて、無線信号１１２−３に関連する１つ又は複数の属性を受信及び修正する。通過する無線信号の入力される無線信号１１２−３（無線信号１１２−３の部分）の修正（位相修正など）を介して、スタック１６０３は出力信号１２２−３を生成する。このように、スタック１６０３及び対応する第３のウィンドー領域は、無線出力１２２−３の対応する第３の部分を生成するために、受信された無線信号１１２−３の第３の部分の位相を制御する。
【０１５７】
従って、コントローラ１４０は、異なる時間において、受信された無線信号１１２から無線出力（１２２−Ａ、１２２−Ｂ等）を生成するために、多数のウィンドー領域の各々を個別に調整する。調整されたウィンドー領域は、そこを通過するそれぞれの無線信号（１１２−１、１１２−２、１１２−３等）の異なるそれぞれの部分を修正する。
【０１５８】
集合的に、チューナデバイス１２０及びウィンドー領域の対応するスタックを介する入力される無線信号１１２の修正は、時間フレームＴ１において、（ｚ軸に対して角度Ａで）無線信号１２２（無線出力１２２−Ａ及び対応するデータペイロード）を通信デバイス１６５１に向け、チューナデバイス１２０を介する入力される無線信号１１２の修正は、時間フレームＴ２において、（ｚ軸に対して角度Ｂで）無線信号（出力信号１２２−Ｂ及び対応するデータペイロード）を通信デバイス１６５２に向ける。
【０１５９】
このように、この例示の実施形態において、コントローラ１４０は、異なる時間において、チューナデバイス１２０のそれぞれのウィンドー領域のチューニングに基づいて無線信号１２２−Ａ及び１２２−Ｂのステアリングを制御して、データＲＦパワーを、異なる空間位置におけるデバイスに伝達する。
【０１６０】
従って、本願における実施形態は、コントローラ１４０を実装すること、及び、これに応じて、多数の個別に制御されるウィンドー領域の設定を可変的に調整して、無線出力１２２（無線出力１２２−Ａ、１２２−Ｂ等など）を、異なる時間において、異なる所望の方向に可変的に向ける（又は所望の形状にビーム形成する）ことを含む。
【０１６１】
図１８は、本願における実施形態に従った、ウィンドー領域とパッドのマッチング金属化層とのスタックのアレイを図示する例示の図である。
【０１６２】
この例示の実施形態において、ソース１０２は、多数の通信デバイス１６５１及び１６５２からデータを受信する。
【０１６３】
時間フレームＴ１１において、通信デバイス１６５１は、無線信号１２２−Ｃ（電磁信号）を、（ｚ軸に対して）角度Ａで、チューナデバイス１２０に伝える。時間フレームＴ１２において、ビームステアリング又はビーム形成を介して、コントローラ１４０は、スタック１６０１、１６０２、１６０３等の各々を個別に調整して、通信デバイス１６５２から、（例えば、第４のデータを含む）無線信号１２２−Ｄを、（Ｚ軸に対して）角度Ｂから受信する。
【０１６４】
さらに、この例示の実施形態において、チューナデバイス１２０のスタック１６０１は、コントローラ１４０によって駆動されるスタック１６０１における対応するウィンドー領域のそれぞれの設定に応じて、受信された無線信号１２２−Ｃ（無線信号１２２−１の部分）に関連する１つ又は複数の属性を受信及び修正する。入力される無線信号１２２−１の修正（位相修正など）を介して、スタック１６０１は出力信号１１２−１を生成する。このように、スタック１６０１及び対応する第１のウィンドー領域は、無線出力１１２−１の対応する第１の部分を生成するために、受信された無線信号１２２−１の第１の部分の位相を制御する。
【０１６５】
チューナデバイス１２０のスタック１６０２は、コントローラ１４０によって駆動されるスタック１６０２における対応するウィンドー領域のそれぞれの設定に応じて、受信された無線信号１２２−Ｃ（無線信号１２２−２の部分）に関連する１つ又は複数の属性を受信及び修正する。入力される無線信号１２２−２の修正（位相修正など）を介して、スタック１６０２は出力信号１１２−２を生成する。このように、スタック１６０２及び対応する第２のウィンドー領域は、無線出力１１２−２の対応する第２の部分を生成するために、受信された無線信号１２２−２の第２の部分の位相を制御する。
【０１６６】
チューナデバイス１２０のスタック１６０３は、コントローラ１４０によって駆動されるスタック１６０３における対応するウィンドー領域のそれぞれの設定に応じて、受信された無線信号１２２−Ｃ（無線信号１２２−３の部分）に関連する１つ又は複数の属性を受信及び修正する。入力される無線信号１２２−３の修正（位相修正など）を介して、スタック１６０３は出力信号１１２−３を生成する。このように、スタック１６０３及び対応する第３のウィンドー領域は、無線出力１１２−３の対応する第３の部分を生成するために、受信された無線信号１２２−３の第３の部分の位相を制御する。
【０１６７】
一実施形態において、無線信号１１２−１、１１２−２、１１２−３等の各々は、ｚ軸に沿って又はｚ軸と平行に、ソース１０２に向かう方向に再び方向付けられる。
【０１６８】
従って、コントローラ１４０は、異なる時間及び異なる角度で、受信された無線信号１２２から無線信号（１２２−Ｃ、１２２−Ｄ等）を受信するために、多数のウィンドー領域の各々を個別に調整し、調整されたウィンドー領域は、そこを通過するそれぞれの無線信号（１２２−１、１２２−２、１２２−３等）の異なるそれぞれの部分を修正する。
【０１６９】
従って、コントローラ１４０は、異なる角度から、異なる時間で、無線信号１２２−Ｃ及び１２２−Ｄを受信するために、多数の個別に制御されるウィンドー領域の設定を可変的に調整する。
【０１７０】
図１９は、本願における実施形態に従った例示の方法を図示するフローチャート１９００である。上述の概念に対していくつかの重複があることに留意されたい。
【０１７１】
処理動作１９１０において、システム１００は、ソースにおいて、入力フィードから入力信号を受信する。
【０１７２】
処理動作１９２０において、ソースは、受信された入力信号に基づいて無線信号を発射する。
【０１７３】
処理動作１９２０において、チューナデバイスは、ｉ）ソースから発射される無線信号を受信し、ｉｉ）チューナデバイスから送信される無線出力の放射パターンを制御するために、チューナデバイスのウィンドー領域を個別に制御する。
【０１７４】
本願で説明される技法が、放射パターンの動的制御をサポートする応用例における使用に良好に適していることに再び留意されたい。しかし、本願における実施形態がそのような応用例における使用に限定されず、本願で説明される技法が、その他の応用例にも良好に適していることに留意すべきである。
【０１７５】
本願において述べられた説明に基づいて、多数の具体的な詳細が、特許請求の範囲の対象事項の完全な理解を提供するために述べられてきた。しかし、特許請求の範囲の対象事項が、これらの具体的な詳細を用いずに行われ得ることが、当業者に理解される。他の例では、特許請求の範囲の対象事項を不明瞭にしないように、当業者に知られた方法、装置、システム等は詳細に述べられていない。詳細な説明の幾つかの部分が、コンピュータメモリなどのコンピューティングシステムメモリ内にストアされるデータビット又はバイナリデジタル信号上の動作のアルゴリズム又は象徴的表現で表されている。これらのアルゴリズム的な記載又は表現は、それらの作業の内容を他の当業者に伝達するための、データ処理分野における当業者に用いられる技法の例である。本願において説明されるアルゴリズムは、一般に、動作の自己矛盾のないシーケンス又は所望の結果をもたらす同様の処理であると考えられる。この文脈において、動作又は処理には物理量の物理的操作が含まれる。典型的に、必須ではないが、そのような量は、ストアされ、伝送され、結合され、比較され、又は操作されることが可能な、電気又は磁気信号の形を取り得る。主に一般的な使用の理由で、そのような信号を、ビット、データ、値、要素、記号、文字、数、用語、数字等として参照することが時として好都合であった。しかし、これら及び同様の用語の全てが、適切な物理的量及に関連してよく、単に便宜上の標示であったことを理解すべきである。
【０１７６】
本発明がその好ましい実施形態を参照して詳細に図示および説明されたが、添付の特許請求の範囲によって規定される本願の精神及び範囲から逸脱することなく、形状および詳細の種々の変更がなされてもよいことが当業者に理解されよう。そのような変形は、本願の範囲に含まれることが意図される。このように、本願の実施形態の前述の説明は、限定的であることを意図しない。むしろ、本発明に対する如何なる限定も、以下の特許請求の範囲に表される。
【図１】
2021516005.tif 000003
【図２】
2021516005.tif 000004
【図３】
2021516005.tif 000005
【図４】
2021516005.tif 000006
【図５】
2021516005.tif 000007
【図６】
2021516005.tif 000008
【図７】
2021516005.tif 000009
【図８】
2021516005.tif 000010
【図９】
2021516005.tif 000011
【図１０】
2021516005.tif 000012
【図１１Ａ】
2021516005.tif 000013
【図１１Ｂ】
2021516005.tif 000014
【図１２】
2021516005.tif 000015
【図１３】
2021516005.tif 000016
【図１４】
2021516005.tif 000017
【図１５】
2021516005.tif 000018
【図１６】
2021516005.tif 000019
【図１７】
2021516005.tif 000020
【図１８】
2021516005.tif 000021
【図１９】
2021516005.tif 000022
【国際調査報告】
2021516005.tif 000023